(57)【要約】【課題】コンサートやライブなどでの音楽情報を高い再現性で再生して臨場感を向上させることができる音響再生システムおよび音響再生方法を提供する。【解決手段】音響再生システム１００は、原音記録媒体１０１ａに記録された左側原音信号音および右側原音信号をそれぞれ再生する音源再生装置１０１を備えている。音源再生装置１０１で再生された左側原音信号音および右側原音信号は、プリアンプ１０２を介して原音可聴再生音および原音非可聴再生音としてそれぞれ再生出力される。また、音源再生装置１０１で再生された左側原音信号音および右側原音信号は、プリアンプ１２０によって左側原音信号と右側原音信号との間で各信号の一部を相互に加えた左側クロストーク音信号および右側クロストーク音信号に変換されてクロストーク可聴再生音およびクロストーク非可聴再生音としてそれぞれ再生出力される。【選択図】  図１
2015198422.tif 000002
【特許請求の範囲】
【請求項１】
人が耳で聴くことができる可聴音以上の周波数で人が耳で聴くことができない非可聴音を表す非可聴音信号と人が耳で聴くことができる可聴音を含んで人の左右の耳に対応した２チャンネルで表した左側原音信号および右側原音信号とをそれぞれ出力する音源再生装置と、
前記左側原音信号および前記右側原音信号をそれぞれ入力して互いに信号の一部を加え合った左側クロストーク音信号および右側クロストーク音信号をそれぞれ出力するクロストーク部と、
前記左側原音信号、前記右側原音信号、前記左側クロストーク音信号、前記右側クロストーク音信号および前記非可聴音信号をそれぞれ増幅するアンプと、
前記アンプによって増幅された前記左側原音信号、前記右側原音信号、前記左側クロストーク音信号、前記右側クロストーク音信号および前記非可聴音信号をそれぞれ音波としてそれぞれ独立して出力するスピーカとを備えることを特徴とする音響再生システム。
【請求項２】
請求項１に記載した音響再生システムにおいて、
前記音源再生装置は、
前記非可聴音信号が人の左右方向にそれぞれ対応した２チャンネルの左側非可聴音信号および右側非可聴音信号で構成され、
前記クロストーク部は、
前記左側非可聴音信号および前記右側非可聴音信号をそれぞれ入力して互いに信号の一部を加え合った左側クロストーク非可聴音信号および右側クロストーク非可聴音信号をそれぞれ出力することを特徴とする音響再生システム。
【請求項３】
請求項１または請求項２に記載した音響再生システムにおいて、さらに、
前記左側原音信号および前記右側原音信号を入力して、前記可聴音を高音および中低音、または高音、中音および低音をそれぞれ抽出するアクティブフィルタを備え、
前記スピーカは、
前記高音および前記中低音、または前記高音、前記中音および前記低音ごとの前記各左側原音信号および前記各右側原音信号ごとに設けられていることを特徴とする音響再生システム。
【請求項４】
請求項１ないし請求項３のうちのいずれか１つに記載した音響再生システムにおいて、
前記アンプは、
前記左側原音信号を増幅するアンプと前記右側原音信号を増幅するアンプとが互いに物理的に独立して設けられていることを特徴とする音響再生システム。
【請求項５】
請求項１ないし請求項４のうちのいずれか１つに記載した音響再生システムにおいて、
前記クロストーク部は、
互いに加え合う信号量を調節するクロストーク調節手段を有することを特徴とする音響再生システム。
【請求項６】
請求項１ないし請求項５のうちのいずれか１つに記載した音響再生システムにおいて、
前記スピーカは、
前記左側原音信号および前記右側原音信号をそれぞれ出力するスピーカの外側に前記左側クロストーク音信号および前記右側クロストーク音信号をそれぞれ出力するスピーカをそれぞれ配置したことを特徴とする音響再生システム。
【請求項７】
人が耳で聴くことができる可聴音以上の周波数で人が耳で聴くことができない非可聴音を表す非可聴音信号と人が耳で聴くことができる可聴音を含んで人の左右の耳に対応した２チャンネルで表した左側原音信号および右側原音信号とをそれぞれ出力する音源再生ステップと、
前記左側原音信号および前記右側原音信号をそれぞれ入力して互いに信号の一部を加え合った左側クロストーク音信号および右側クロストーク音信号をそれぞれ出力するクロストークステップと、
前記左側原音信号、前記右側原音信号、前記左側クロストーク音信号、前記右側クロストーク音信号および前記非可聴音信号をそれぞれ増幅する増幅ステップと、
前記増幅ステップによって増幅された前記左側原音信号、前記右側原音信号、前記左側クロストーク音信号、前記右側クロストーク音信号および前記非可聴音信号をそれぞれ音波としてそれぞれ独立したスピーカから出力させる音波出力ステップとを含むことを特徴とする音響再生方法。
【発明の詳細な説明】
【技術分野】
【０００１】
本発明は、コンサート会場やライブ会場などでの歌唱や演奏などの音楽情報を高精度に再生できる音響再生システムおよび音響再生方法に関するものである。
【背景技術】
【０００２】
従来から、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）などの記録媒体に収録したコンサートやライブなどの音楽情報を高い臨場感で再生する音響再生システムが提案されている。例えば、下記特許文献１、２には、人の両耳に対応する左右２チャンネルの音楽信号の各一部を相互に加え合って聴者に出力する音響再生システムが開示されている。
【先行技術文献】
【特許文献】
【０００３】
【特許文献１】特開昭５９−８６４００号公報
【特許文献２】特開平０４−３６８１００号公報
【０００４】
しかしながら、上記各特許文献１，２に記載したようなこの種の音響再生システムにおいては、音楽情報の高い再現性や臨場感の向上が常に求められている。
【発明の概要】
【０００５】
本発明は上記問題に対処するためなされたもので、その目的は、コンサートやライブなどでの音楽情報を高い再現性で再生して臨場感を向上させることができる音響再生システムおよび音響再生方法を提供することにある。
【０００６】
上記目的を達成するため、本発明の特徴は、人が耳で聴くことができる可聴音以上の周波数で人が耳で聴くことができない非可聴音を表す非可聴音信号と人が耳で聴くことができる可聴音を含んで人の左右の耳に対応した２チャンネルで表した左側原音信号および右側原音信号とをそれぞれ出力する音源再生装置と、左側原音信号および前記右側原音信号をそれぞれ入力して互いに信号の一部を加え合った左側クロストーク音信号および右側クロストーク音信号をそれぞれ出力するクロストーク部と、左側原音信号、右側原音信号、左側クロストーク音信号、右側クロストーク音信号および非可聴音信号をそれぞれ増幅するアンプと、アンプによって増幅された左側原音信号、右側原音信号、左側クロストーク音信号、右側クロストーク音信号および非可聴音信号をそれぞれ音波としてそれぞれ独立して出力するスピーカとを備えたことにある。
【０００７】
この場合、音源再生装置は、コンサートやライブなどでの原音における可聴音を２チャンネルで記録するとともに非可聴音を少なくとも１チャンネルで記録した原音記録媒体（例えば、ＣＤ、ＳＡＣＤ、ＤＶＤ、半導体メモリなど）を再生する再生装置で構成できるとともに、コンサート会場やライブ会場などでの原音における可聴音を２チャンネルで記録するとともに非可聴音を少なくとも１チャンネルで集音するマイクなどの集音装置で構成することができる。
【０００８】
このように構成した本発明の特徴によれば、音響再生システムは、聴者に対して２チャンネルの原音における可聴音の各原音可聴再生音、２チャンネルの原音間で少なくとも可聴音をクロストークさせた各クロストーク再生音および非可聴の非可聴再生音の３種類の音波をそれぞれスピーカを介して出力する。これにより、本発明者らの実験によれば、聴者に対して単に２チャンネルの原音間でクロストークさせた各再生音を出力する従来の音響再生システムに比べてコンサートやライブなどでの音楽情報を高い再現性で再生して臨場感を向上させることができることを確認した。この理由については、正確な原因は不明であるが、聴者が感じる原音の各再生音、クロストークさせた各クロストーク再生音および非可聴再生音の音波の種類（換言すれば、周波数成分）が実際のコンサート会場やライブ会場で聴者が直接的および間接的に音源から耳や身体に受ける音波の種類に近似しているためと考えられる。
【０００９】
また、本発明の他の特徴は、前記音響再生システムにおいて、音源再生装置は、非可聴音信号が人の左右方向にそれぞれ対応した２チャンネルの左側非可聴音信号および右側非可聴音信号で構成され、クロストーク部は、左側非可聴音信号および右側非可聴音信号をそれぞれ入力して互いに信号の一部を加え合った左側クロストーク非可聴音信号および右側クロストーク非可聴音信号をそれぞれ出力することにある。
【００１０】
このように構成した本発明の他の特徴によれば、音響再生システムは、クロストーク部が２チャンネルの非可聴音信号、すなわち、左側非可聴音信号および右側非可聴音信号を相互に互いの信号の一部を加えた左側クロストーク非可聴音信号および右側クロストーク非可聴音信号を出力している。すなわち、音響再生システムは、前記３種類の音波のうちのクロストーク再生音を可聴音からなるクロストーク可聴再生音と非可聴音からなるクロストーク非可聴再生音で構成することによって合計で４種類の音波をそれぞれスピーカを介して出力する。これにより、音響再生システムは、コンサートやライブなどでの音楽情報をより高い再現性で再生して臨場感をより向上させることができる。
【００１１】
また、本発明の他の特徴は、音響再生システムにおいて、さらに、左側原音信号および右側原音信号を入力して、可聴音を高音および中低音、または高音、中音および低音をそれぞれ抽出するアクティブフィルタを備え、スピーカは、高音および中低音、または高音、中音および低音ごとの各左側原音信号および各右側原音信号ごとに設けられていることにある。これらの場合、高音および中低音の周波数の関係、または高音、中音および低音の周波数の関係は、可聴音（２０Ｈｚ〜２０ｋＨｚ）の範囲内においてアクティブフィルタ、ネットワークまたはスピーカの各仕様や性能に応じて互いに相対的に設定されるものであり、ある特定の周波数または周波数帯域にのみ限定されるものではない。
【００１２】
このように構成した本発明の他の特徴によれば、音響再生システムは、可聴音を表す各原音再生音および可聴音を表す各クロストーク再生音のうちの少なくとも一方の再生音を高音および中低音、または高音、中音および低音に分けて出力するため、コンサートやライブなどでの音楽情報をより高い再現性で再生して臨場感をより向上させることができる。
【００１３】
また、本発明の他の特徴は、前記音響再生システムにおいて、アンプは、左側原音信号を増幅するアンプと右側原音信号を増幅するアンプとが互いに物理的に独立して設けられていることにある。
【００１４】
このように構成した本発明の他の特徴によれば、音響再生システムは、左側原音信号を増幅するアンプと右側原音信号を増幅するアンプとを互いに物理的に独立して設けて構成しているため、左側原音信号と右側原音信号との間のクロストーク現象を効果的に抑制して原音を高精度に再現した原音再生音を出力することができる。
【００１５】
また、本発明の他の特徴は、前記音響再生システムにおいて、クロストーク部は、互いに加え合う信号量を調節するクロストーク調節手段を有することにある。
【００１６】
このように構成した本発明の他の特徴によれば、音響再生システムは、クロストーク部が左側原音信号と右側原音信号との間で互いに加え合う信号量、すなわち、クロストーク量を調節するクロストーク調節手段を備えているため、聴者の好みや再生音の再生環境に応じて再生音を変化させることができコンサートやライブなどでの音楽情報をより高い再現性で再生して臨場感をより向上させることができる。また、音響再生システムは、非可聴音信号が左側非可聴音信号および右側非可聴音信号で構成されている場合には、クロストーク部が左側非可聴音信号と右側非可聴音信号との間で互いに加え合う信号量、すなわち、クロストーク量を調節することができるため、聴者の好みや再生音の再生環境に応じて再生音を変化させることができコンサートやライブなどでの音楽情報をより高い再現性で再生して臨場感をより向上させることができる。
【００１７】
また、本発明の他の特徴は、前記音響再生システムにおいて、スピーカは、左側原音信号および右側原音信号をそれぞれ出力するスピーカの外側に左側クロストーク音信号および右側クロストーク音信号をそれぞれ出力するスピーカをそれぞれ配置したことにある。
【００１８】
このように構成した本発明の他の特徴によれば、音響再生システムは、左側原音信号および右側原音信号をそれぞれ出力するスピーカの外側に左側クロストーク音信号および右側クロストーク音信号をそれぞれ出力するスピーカがそれぞれ配置されているため、左側クロストーク音信号および右側クロストーク音信号をそれぞれ出力するスピーカの外側に左側原音信号および右側原音信号をそれぞれ出力するスピーカを配置する場合に比べて音楽情報のより高い再現性および臨場感の向上を確認することができた。なお、スピーカの外側とは、聴者に向けて配置されたスピーカに対して更に聴者の左右方向の外側に配置されていることをいう。
【００１９】
また、本発明は音響再生システムの発明として実施できるばかりでなく、音響再生方法の発明としても実施できるものである。
【００２０】
具体的には、音響再生方法は、人が耳で聴くことができる可聴音以上の周波数で人が耳で聴くことができない非可聴音を表す非可聴音信号と人が耳で聴くことができる可聴音を含んで人の左右の耳に対応した２チャンネルで表した左側原音信号および右側原音信号とをそれぞれ出力する音源再生ステップと、左側原音信号および右側原音信号をそれぞれ入力して互いに信号の一部を加え合った左側クロストーク音信号および右側クロストーク音信号をそれぞれ出力するクロストークステップと、左側原音信号、右側原音信号、左側クロストーク音信号、右側クロストーク音信号および非可聴音信号をそれぞれ増幅する増幅ステップと、増幅ステップによって増幅された左側原音信号、右側原音信号、左側クロストーク音信号、右側クロストーク音信号および非可聴音信号をそれぞれ音波としてそれぞれ独立したスピーカから出力させる音波出力ステップとを含むことにある。これによれば、上記音響再生装置と同様な作用効果を期待できる。
【００２１】
なお、この場合、音源再生ステップは、コンサートやライブなどの原音からなる音楽情報を２チャンネルで記録した原音記録媒体（例えば、ＣＤ、ＳＡＣＤ、ＤＶＤ、半導体メモリなど）を再生する再生装置を用いて実現できるとともに、コンサート会場やライブ会場などでの音楽情報を２チャンネルで集音するマイクなどの集音装置を用いて実現することもできる。
【図面の簡単な説明】
【００２２】
【図１】本発明の一実施形態に係る音響再生システムのシステム構成を概略的に示す模式図である。
【図２】本発明の変形例に係る音響再生システムのシステム構成を概略的に示す模式図である。
【図３】本発明の他の変形例に係る音響再生システムのシステム構成の一部を概略的に示す模式図である。
【発明を実施するための形態】
【００２３】
以下、本発明に係る音響再生システムの一実施形態について図面を参照しながら説明する。図１は、本発明に係る音響再生システム１００のシステム構成の概略を示す模式図である。この音響再生システム１００は、コンサートやライブでの音声や演奏からなる音楽情報（換言すれば、音波情報）を記録した原音記録媒体１０１ａを主として室内で再生する装置群である。
【００２４】
（音響再生システム１００の構成）
音響再生システム１００は、音源再生装置１０１を備えている。音源再生装置１０１は、コンサートやライブの音波情報を記録した原音記録媒体１０１ａから音波情報を電気信号で読み出して出力する機器である。この場合、原音記録媒体１０１ａは、コンサートやライブの音楽情報、具体的には、人の耳で聞くことができる可聴音（２０Ｈｚ〜２０ｋＨｚ）および人間の耳では聞くことができない非可聴音（２０ｋＨｚ以上）を人の左右の耳に対応した２チャンネルでそれぞれ記録したものである。この原音記録媒体１０１ａとしては、例えば、ＳＡＣＤ（Super Audio Compact Disc：スーパオーディオディスク）、磁気テープまたは半導体メモリなどで構成することができる。本実施形態においては、原音記録媒体１０１ａは、ＳＡＣＤで構成されている。
【００２５】
すなわち、本実施形態においては、音源再生装置１０１は、ＳＡＣＤ上に記録されているデジタル音波データをスピーカで再生可能なアナログの電気信号に変換して出力する所謂ＳＡＣＤプレーヤで構成されている。この音源再生装置１０１は、ＳＡＣＤからなる原音記録媒体１０１ａに記録された２チャンネルの音楽情報をそれぞれ電気信号で表した左側原音信号および右側原音信号をそれぞれ出力する。この場合、左側原音信号および右側原音信号には、可聴音を表す信号のほかに非可聴音を表す信号、すなわち、左側非可聴音信号および右側非可聴音信号がそれぞれ含まれている。この音源再生装置１０１には、プリアンプ１０２およびプリアンプ１２０がそれぞれ接続されている。
【００２６】
プリアンプ１０２は、音源再生装置１０１から出力された左側原音信号および右側原音信号をそれぞれ入力してこれらの左側原音信号および右側原音信号をそれぞれ電圧増幅して出力する増幅装置である。この場合、プリアンプ１０２は、１つの筐体内で左側原音信号を増幅するための電気回路と右側原音信号を増幅する電気回路とが互いに電気的および磁気的に干渉し合わないようにシールドされている。また、プリアンプ１０２は、それぞれ出力する左側原音信号および右側原音信号の出力の大きさを手動で調節するための図示しないボリュームを備えている。このプリアンプ１０２には、アクティブフィルタアンプ１０３およびパワーアンプ１１０がそれぞれ接続されている。
【００２７】
アクティブフィルタアンプ１０３は、プリアンプ１０２からそれぞれ出力された左側原音信号および右側原音信号を複数の周波数帯域ごとに抽出して出力するフィルタ回路であり、主として、抵抗素子、キャパシタ素子および増幅素子を備えて構成されている。本実施形態においては、アクティブフィルタアンプ１０３は、左側原音信号および右側原音信号をそれぞれ高音（８４００Ｈｚ〜３５ｋＨｚ）、中音（４２０Ｈｚ〜８４００Ｈｚ）および低音（４２０Ｈｚ未満）の各周波数帯域ごとに出力する。このアクティブフィルタアンプ１０３には、各周波数帯域ごとにパワーアンプ１０４ａ〜１０４ｃがそれぞれ接続されている。
【００２８】
パワーアンプ１０４ａ〜１０４ｃは、アクティブフィルタアンプ１０３から各周波数帯域ごとにそれぞれ出力された左側原音信号および右側原音信号の電力をそれぞれ増幅して出力する増幅装置である。これらのパワーアンプ１０４ａ〜１０４ｃには、各周波数帯域に応じたスピーカ１０５Ｌ，１０５Ｒ、１０６Ｌ，１０６Ｒ、１０７Ｌ，１０７Ｒがそれぞれ接続されている。
【００２９】
スピーカ１０５Ｌ，１０５Ｒ、１０６Ｌ，１０６Ｒ、１０７Ｌ，１０７Ｒは、パワーアンプ１０４ａ〜１０４ｃからそれぞれ出力された各周波数帯域ごとの左側原音信号および右側原音信号をそれぞれ入力してこれらの左側原音信号および右側原音信号にそれぞれ対応した音波に変換して出力する装置である。これらの各スピーカ１０５Ｌ，１０５Ｒ、１０６Ｌ，１０６Ｒ、１０７Ｌ，１０７Ｒは、２チャンネルに対応した左側のスピーカ１０５Ｌ，１０６Ｌ、１０７Ｌおよび右側のスピーカ１０５Ｒ、１０６Ｒ、１０７Ｒがそれぞれ聴者Ｕの前方の左側および右側にそれぞれ対向配置されている。
【００３０】
ここで、スピーカ１０５Ｌ，１０５Ｒは、パワーアンプ１０４ａから出力された高音帯域の左側原音信号および右側原音信号をそれぞれ入力して高音帯域（８４００Ｈｚ〜３５ｋＨｚ）の音波に変換する所謂ツィータである。また、スピーカ１０６Ｌ，１０６Ｒは、パワーアンプ１０４ｂから出力された中音帯域（４２０Ｈｚ〜８４００Ｈｚ）の左側原音信号および右側原音信号をそれぞれ入力して中音帯域の音波に変換する所謂スコーカである。スピーカ１０７Ｌ，１０７Ｒは、パワーアンプ１０４ｃから出力された低音帯域の左側原音信号および右側原音信号をそれぞれ入力して低音帯域（４２０Ｈｚ未満）の音波に変換する所謂ウーハである。
【００３１】
パワーアンプ１１０は、プリアンプ１０２からそれぞれ出力された左側原音信号および右側原音信号の各電力をそれぞれ増幅して出力する増幅装置である。このパワーアンプ１１０には、ハイパスフィルタ１１１が接続されている。ハイパスフィルタ１１１は、パワーアンプ１１０からそれぞれ出力された左側原音信号および右側原音信号のうちの非可聴音帯域（３５ｋＨｚ以上）の信号、すなわち、左側非可聴音信号および右側非可聴音信号をそれぞれ抽出して出力するフィルタ回路であり、主として、抵抗素子、キャパシタ素子および増幅素子を備えて構成されている。このハイパスフィルタ１１１には、スピーカ１１２Ｌ，１１２Ｒがそれぞれ接続されている。
【００３２】
スピーカ１１２Ｌ，１１２Ｒは、ハイパスフィルタ１１１からそれぞれ出力された左側非可聴音信号および右側非可聴音信号をそれぞれ入力してこれらの左側非可聴音信号および右側非可聴音信号にそれぞれ対応した音波に変換して出力する装置である。すなわち、スピーカ１１２Ｌ，１１２Ｒは、非可聴音帯域（３５ｋＨｚ以上）の音波を出力する所謂スーパーツィータである。これらのスピーカ１１２Ｌ，１１２Ｒは、２チャンネルに対応した左側のスピーカ１１２Ｌおよび右側のスピーカ１１２Ｒがそれぞれ聴者Ｕの前方の左側および右側にそれぞれ対向配置されている。
【００３３】
プリアンプ１２０は、音源再生装置１０１から出力された左側原音信号および右側原音信号をそれぞれ入力してそれぞれ電圧増幅するとともに、左側原音信号と右側原音信号との間で相互に互いの信号の一部を加えた左側クロストーク音信号および右側クロストーク音信号をそれぞれ出力する増幅装置である。より具体的には、プリアンプ１２０は、左側原音信号および右側原音信号ごとに各電圧を増幅する図示しない２つの増幅回路をそれぞれ備えるとともに、これらの増幅回路によってそれぞれ増幅された左側原音信号および右側原音信号を用いて左側クロストーク音信号および右側クロストーク音信号をそれぞれ生成する２つのクロストーク部Ｌ１２１およびクロストーク部Ｒ１２２をそれぞれ備えている。この場合、クロストーク部Ｌ１２１およびクロストーク部Ｒ１２２は、クロストーク量をそれぞれ調節するためのクロストーク調節器１２１ａ，１２２ａをそれぞれ備えている。
【００３４】
クロストーク部Ｌ１２１は、左側原音信号に右側原音信号の一部を加えて左側クロストーク信号を生成するための電気回路であり、図示しない減衰器および加算器をそれぞれ備えて構成されている。また、クロストーク部Ｒ１２２は、右側原音信号に左側原音信号の一部を加えて右側クロストーク信号を生成するための電気回路であり、図示しない減衰器および加算器をそれぞれ備えて構成されている。この場合、左側原音信号および右側原音信号における各一部とは、各信号に含まれる周波成分の一部ではなく（つまり、質的なものではない）、各信号全体に対する一部である（つまり、量的なもの）。したがって、左側クロストーク信号および右側クロストーク信号は、可聴音を表す信号のほかに非可聴音を表す信号、すなわち、左側クロストーク非可聴音信号および右側クロストーク非可聴音信号が含まれて構成されている。
【００３５】
これらのクロストーク部Ｌ１２１およびクロストーク部Ｒ１２２をそれぞれ構成する２つの各減衰器は、左側原音信号および右側原音信号からそれぞれ抽出した左側原音信号および右側原音信号の各一部を前記各クロストーク調節器１２１ａ，１２２ａによってそれぞれ指示された減衰率で減衰する電気回路である。また、クロストーク部Ｌ１２１およびクロストーク部Ｒ１２２をそれぞれ構成する２つの各加算器は、これら２つの減衰器によってそれぞれ減衰された左側原音信号および右側原音信号の各一部を右側原音信号および左側原音信号にそれぞれ加算して左側クロストーク音信号および右側クロストーク音信号を生成する電気回路である。
【００３６】
また、各クロストーク部Ｌ１２１およびクロストーク部Ｒ１２２にそれぞれ設けられたクロストーク調節器１２１ａ，１２２ａは、クロストーク部Ｌ１２１およびクロストーク部Ｒ１２２における各減衰率を０％〜１００％の範囲で手動で調整してクロストーク量を設定することができる操作子である。また、プリアンプ１２０は、左側原音信号および右側原音信号の出力の大きさを手動で調節するための図示しないボリュームを備えている。そして、このプリアンプ１２０は、パワーアンプ１２３が接続されている。
【００３７】
パワーアンプ１２３は、プリアンプ１２０から出力された左側クロストーク音信号および右側クロストーク音信号の電力をそれぞれ増幅して出力する増幅装置である。このパワーアンプ１２３には、スピーカ１２４Ｌ，１２４Ｒ、１２５Ｌ，１２５Ｒ、１２６Ｌ，１２６Ｒ、１２７Ｌ，１２７Ｒがそれぞれ接続されている。
【００３８】
スピーカ１２４Ｌ，１２４Ｒ、１２５Ｌ，１２５Ｒ、１２６Ｌ，１２６Ｒ、１２７Ｌ，１２７Ｒは、パワーアンプ１２３から出力された左側クロストーク音信号および右側クロストーク音信号をそれぞれ入力してこれらの左側クロストーク音信号および右側クロストーク音信号にそれぞれ対応した音波に変換して出力する装置である。これらの各スピーカ１２４Ｌ，１２４Ｒ、１２５Ｌ，１２５Ｒ、１２６Ｌ，１２６Ｒ、１２７Ｌ，１２７Ｒは、コンデンサ、コイルおよび抵抗を組み合わせた電気回路からなるネットワーク１２８がそれぞれ設けられており、特定の周波数帯域の左側クロストーク音信号および右側クロストーク音信号のみを抽出して出力する。
【００３９】
具体的には、スピーカ１２４Ｌ，１２４Ｒは、ネットワーク１２８が左側クロストーク音信号および右側クロストーク音信号における高音帯域（８４００Ｈｚ〜３５ｋＨｚ）の信号をそれぞれ抽出して出力する所謂ツィータである。また、スピーカ１２５Ｌ，１２５Ｒは、ネットワーク１２８が左側クロストーク音信号および右側クロストーク音信号における中音帯域（４２０Ｈｚ〜８４００Ｈｚ）の信号をそれぞれ抽出して出力する所謂スコーカである。また、スピーカ１２６Ｌ，１２６Ｒは、ネットワーク１２８が左側クロストーク音信号および右側クロストーク音信号における低音帯域（４２０Ｈｚ未満）の信号をそれぞれ抽出して出力する所謂ウーハである。また、スピーカ１２７Ｌ，１２７Ｒは、ネットワーク１２８が左側クロストーク音信号および右側クロストーク音信号における非可聴音帯域（３５ｋＨｚ以上）の信号をそれぞれ抽出して出力する所謂スーパーツィータである。
【００４０】
これらの各スピーカ１２４Ｌ，１２４Ｒ、１２５Ｌ，１２５Ｒ、１２６Ｌ，１２６Ｒ、１２７Ｌ，１２７Ｒは、２チャンネルに対応した左側のスピーカ１２４Ｌ、１２５Ｌ、１２６Ｌ、１２７Ｌおよび右側の１２４Ｒ、１２５Ｒ、１２６Ｒ、１２７Ｒがそれぞれ聴者Ｕの前方の左側および右側にそれぞれ対向配置されている。本実施形態においては、各スピーカ１２４Ｌ，１２４Ｒ、１２５Ｌ，１２５Ｒ、１２６Ｌ，１２６Ｒ、１２７Ｌ，１２７Ｒは、スピーカ１０５Ｌ，１０５Ｒ、１０６Ｌ，１０６Ｒ、１０７Ｌ，１０７Ｒに対して聴者Ｕの左右方向外側にそれぞれ配置されている。
【００４１】
（音響再生システム１００の作動）
次に、上記のように構成した音響再生システム１００の作動について説明する。ここで、この音響再生システム１００は、室内または屋外に設置される。本実施形態においては、音響再生システム１００は、室内に設置されている。この音響再生システム１００を用いて音楽（歌唱や演奏）を聞く聴者Ｕは、まず、音響再生システム１００の電源をＯＮにした後、クロストーク調節器１２１ａ，１２２ａを操作することによってクロストーク部Ｌ１２１およびクロストーク部１２２における各減衰回路の減衰率、すなわち、クロストーク部Ｌ１２１およびクロストーク部１２２におけるクロストーク量をそれぞれ設定する。この場合、クロストーク量は、元となる左側原音信号および右側原音信号の音量に対してそれぞれ５％以上かつ４０％以下、より好適には１０％以上かつ３０％以下、さらに好適には１５％以上かつ２５％以下がよい。本実施形態においては、聴者Ｕは、左右の各クロストーク量の割合を表すクロストーク率を２０％にそれぞれ設定する。
【００４２】
次に、聴者Ｕは、音源再生装置１０１内に原音記録媒体１０１ａをセットして再生させるとともに、スピーカ１０５Ｌ，１０５Ｒ、１０６Ｌ，１０６Ｒ、１０７Ｌ，１０７Ｒ、１１２Ｌ，１１２Ｒ、１２４Ｌ，１２４Ｒ、１２５Ｌ，１２５Ｒ、１２６Ｌ，１２６Ｒ、１２７Ｌ，１２７Ｒの前方に位置して音楽の再生を待つ。これにより、音源再生装置１０１は、原音記録媒体１０１ａに記録された２チャンネルごとの可聴音および非可聴音に関する信号を読み出して左側原音信号および右側原音信号をそれぞれ出力する（本発明に係る音源再生ステップ）。
【００４３】
音源再生装置１０１から出力された左側原音信号および右側原音信号は、プリアンプ１０２およびプリアンプ１２０にそれぞれ出力される。プリアンプ１２０は、音源再生装置１０１から出力された左側原音信号および右側原音信号をそれぞれ電圧増幅してアクティブフィルタアンプ１０３およびパワーアンプ１１０にそれぞれ出力する（本発明に係る増幅ステップ）。
【００４４】
アクティブフィルタアンプ１０３は、左側原音信号および右側原音信号を各周波数帯域ごとに分割してパワーアンプ１０４ａ〜１０４ｃにそれぞれ出力する。パワーアンプ１０４ａ〜１０４ｃは、入力した左側原音信号および右側原音信号を電力増幅してスピーカ１０５Ｌ，１０５Ｒ、１０６Ｌ，１０６Ｒ、１０７Ｌ，１０７Ｒにそれぞれ出力する（本発明に係る増幅ステップ）。これにより、スピーカ１０５Ｌ，１０５Ｒ、１０６Ｌ，１０６Ｒ、１０７Ｌ，１０７Ｒは、原音記録媒体１０１ａに記録された左側原音信号および右側原音信号における可聴音を抽出した原音可聴再生音を各周波数帯域ごとに聴者Ｕに向けてそれぞれ出力する（本発明に係る音波出力ステップ）。
【００４５】
また、パワーアンプ１１０は、左側原音信号および右側原音信号をそれぞれ電力増幅してハイパスフィルタ１１１にそれぞれ出力する（本発明に係る増幅ステップ）。ハイパスフィルタ１１１は、左側原音信号および右側原音信号から非可聴音帯域の信号である左側非可聴音信号および右側非可聴音信号のみをそれぞれ抽出してスピーカ１１２Ｌ，１１２Ｒにそれぞれ出力する。これにより、スピーカ１１２Ｌ，１１２Ｒは、原音記録媒体１０１ａに記録された左側原音信号および右側原音信号における非可聴音を抽出した原音非可聴再生音を聴者Ｕに向けてそれぞれ出力する（本発明に係る音波出力ステップ）。
【００４６】
一方、プリアンプ１２０は、音源再生装置１０１から出力された左側原音信号および右側原音信号をそれぞれ電圧増幅した後（本発明に係る増幅ステップ）、クロストーク部Ｌ１２１およびクロストーク部Ｒ１２２によって右側原音信号の一部を左側原音信号に加えて左側クロストーク音信号を生成するとともに、左側原音信号の一部を右側原音信号に加えて右側クロストーク音信号を生成して各クロストーク音信号をパワーアンプ１２３に出力する（本発明に係るクロストークステップ）。この場合、右側原音信号の一部を左側原音信号に加える量、および左側原音信号の一部を右側原音信号に加える量は、前記設定したクロストーク量に対応している。
【００４７】
パワーアンプ１２３は、入力した左側クロストーク音信号および右側クロストーク音信号を電力増幅してスピーカ１２４Ｌ，１２４Ｒ、１２５Ｌ，１２５Ｒ、１２６Ｌ，１２６Ｒ、１２７Ｌ，１２７Ｒにそれぞれ出力する（本発明に係る増幅ステップ）。これにより、スピーカ１２４Ｌ，１２４Ｒ、１２５Ｌ，１２５Ｒ、１２６Ｌ，１２６Ｒ、１２７Ｌ，１２７Ｒは、パワーアンプ１２３から出力された左側クロストーク音信号および右側クロストーク音信号から高音、中音、低音および非可聴音に対応する信号をそれぞれ抽出して聴者Ｕに向けてそれぞれ出力する（本発明に係る音波出力ステップ）。
【００４８】
より具体的には、スピーカ１２４Ｌ，１２４Ｒ、１２５Ｌ，１２５Ｒ、１２６Ｌ，１２６Ｒは、可聴音をクロストークさせたクロストーク可聴再生音を高音、中音および低音ごとに聴者Ｕに向けてそれぞれ出力する。また、スピーカ１２７Ｌ，１２７Ｒは、非可聴音をクロストークさせたクロストーク非可聴再生音を聴者Ｕに向けてそれぞれ出力する。
【００４９】
これにより、聴者Ｕは、クロストークを含まない原音通りの２チャンネルの原音可聴再生音およびクロストークを含まない原音通りの２チャンネルの原音非可聴再生音とともにクロストークを含む２チャンネルのクロストーク可聴再生音およびクロストークを含む２チャンネルのクロストーク非可聴再生音をそれぞれ受けることになる。この場合、聴者Ｕは、プリアンプ１０２およびプリアンプ１２０にそれぞれ設けられた図示しないボリュームを調節することによって、クロストークを含まない原音通りの可聴再生音および非可聴再生音に対するクロストークを含む可聴再生音および非可聴再生音の割合を調節することができる。本発明者らの実験によれば、クロストークを含まない原音通りの可聴再生音および非可聴再生音とクロストークを含む可聴再生音および非可聴再生音との割合は、９対１から７対３の割合が好適である。
【００５０】
また、このように構成した音響再生システム１００による本発明者らの実験によれば、１０代から８０代の男女を略均等に含む１００人に対して音響再生システム１００による再生音を聴かせた場合と、単に２チャンネルの原音間でクロストークさせた再生音を聞かせた場合とでは８５％の人が音響再生システム１００による再生音に高い臨場感を覚えたという実験結果を得た。
【００５１】
上記作動説明からも理解できるように、上記実施形態によれば、音響再生システム１００は、聴者Ｕに対して２チャンネルの原音における可聴音の各原音可聴再生音、同原音における非可聴音の各原音非可聴再生音、２チャンネルの原音間で可聴音をクロストークさせた各クロストーク可聴再生音および２チャンネルの原音間で非可聴音をクロストークさせた各クロストーク非可聴再生音の４種類の音波をそれぞれスピーカを介して出力する。これにより、本発明者らの実験によれば、聴者に対して単に２チャンネルの原音間でクロストークさせた各再生音を出力する従来の音響再生システムに比べてコンサートやライブなどでの音楽情報を高い再現性で再生して臨場感を向上させることができることを確認した。この理由については、正確な原因は不明であるが、聴者が感じる原音の可聴および非可聴の各再生音、原音をクロストークさせた可聴および非可聴の各クロストーク再生音の音波の種類（換言すれば、周波数成分）が実際のコンサート会場やライブ会場で聴者が直接的におよび間接的に音源から耳や身体に受ける音波の種類に近似しているためと考えられる。
【００５２】
さらに、本発明の実施にあたっては、上記実施形態に限定されるものではなく、本発明の目的を逸脱しない限りにおいて種々の変更が可能である。なお、以下で説明する各変形例においては、上記実施形態と同様の構成部分に同じ符号を付して説明は適宜省略する。
【００５３】
例えば、上記実施形態においては、音響再生システム１００は、原音可聴再生音およびクロストーク可聴再生音をそれぞれ３つの周波数帯域、すなわち、高音、中音および低音ごとに出力するために各３つずつのスピーカ１０５Ｌ，１０５Ｒ、１０６Ｌ，１０６Ｒ、１０７Ｌ，１０７Ｒおよびスピーカ１２４Ｌ，１２４Ｒ、１２５Ｌ，１２５Ｒ、１２６Ｌ，１２６Ｒをそれぞれ備えて構成した。しかし、音響再生システム１００は、原音可聴再生音およびクロストーク可聴再生音をそれぞれ２つの周波数帯域のスピーカ、例えば、高音および中低音の２つのスピーカや、１つの周波数帯域のスピーカ、すなわち、フルレンジのスピーカで構成することもできる。
【００５４】
また、上記実施形態においては、音響再生システム１００は、プリアンプ１２０（クロストーク部Ｌ１２１およびクロストーク部Ｒ１２２を含む）、パワーアンプ１２３およびスピーカ１２７Ｒ，１２７Ｒを用いてクロストーク非可聴再生音を発生するように構成した。しかし、音響再生システム１００は、少なくとも原音可聴再生音、原音非可聴再生音およびクロストーク可聴再生音を発生するように構成すれば従来技術に係る音響再生システムに比べてコンサートやライブなどでの音情報を高い臨場感で再生することができる。すなわち、音響再生システム１００は、非可聴音をクロストークさせたクロストーク非可聴再生音を生成して出力する構成を省略することもできる。
【００５５】
また、上記実施形態においては、音響再生システム１００は、スピーカ１２４Ｌ，１２４Ｒ、１２５Ｌ，１２５Ｒ、１２６Ｌ，１２６Ｒ，１２７Ｌ，１２７Ｒにそれぞれネットワーク１２８が設けられて構成されている。しかし、音響再生システム１００は、ネットワーク１２７を省略してアクティブフィルタアンプ１０３およびパワーアンプ１０４ａ〜１０４ｃに相当するアクティブフィルタアンプおよびパワーアンプを設けて構成することもできる。
【００５６】
また、上記実施形態においては、音響再生システム１００は、プリアンプ１０２は、左側原音信号を増幅する回路と右側原音信号を増幅する回路とを１つの筐体内に収容し手構成した。しかし、プリアンプ１０２は、互いの信号、すなわち、左側原音信号と右側原音信号とが互いに干渉し合ってクロストークを受けないように構成されていればよい。したがって、プリアンプ１０２は、左側原音信号を増幅する回路と右側原音信号を増幅する回路とをそれぞれ互いに物理的に独立した別体で構成することができる。これによれば、プリアンプ１０２は、１つの筐体で構成した場合に比べてより高精度にクロストークを抑えることができる。
【００５７】
また、上記実施形態においては、プリアンプ１２０とパワーアンプ１２３とを互いに別体で構成した。しかし、プリアンプ１２０およびパワーアンプ１２３は、図２に示すように、１つの機器、すなわち、プリメインアンプ１３０として構成することもできる。この場合、プリメインアンプ１２０’は、音源再生装置１０１から出力された左側原音信号および右側原音信号をそれぞれ入力して電圧および電力をそれぞれ増幅するとともに、左側原音信号と右側原音信号との間で相互に互いの信号の一部を加えた左側クロストーク音信号および右側クロストーク音信号をそれぞれ出力する。
【００５８】
また、上記実施形態においては、音源再生装置１０１は、非可聴音を表す左側非可聴音信号および右側非可聴音信号を含んだ左側原音信号および右側原音信号をそれぞれ出力するように構成した。すなわち、原音記録媒体１０１ａには、非可聴音が人の左右方向にそれぞれ対応した２チャンネルで記録されている。しかし、原音再生装置１０１は、少なくとも、可聴音ｗｐ２チャンネルで表した左側原音信号および右側原音信号と、非可聴音を１チャンネルで表した非可聴音信号とをそれぞれ出力するように構成されていればよい。したがって、音響再生システム１００は、非可聴音については、１つのスピーカからのみ出力するように構成することもできる。なお、音源再生装置１０１は、可聴音のみを出力する音源再生装置１０１および非可聴音のみを出力する音源再生装置１０１の２つの別体の機器で構成することもできる。
【００５９】
また、上記実施形態においては、音源再生装置１０１は、スピーカ１２４Ｌ，１２４Ｒ、１２５Ｌ，１２５Ｒ、１２６Ｌ，１２６Ｒ、１２７Ｌ，１２７Ｒをスピーカ１０５Ｌ，１０５Ｒ、１０６Ｌ，１０６Ｒ、１０７Ｌ，１０７Ｒに対して聴者Ｕの左右方向外側にそれぞれ配置して構成した。これにより、本発明者らによれば、スピーカ１０５Ｌ，１０５Ｒ、１０６Ｌ，１０６Ｒ、１０７Ｌ，１０７Ｒをスピーカ１２４Ｌ，１２４Ｒ、１２５Ｌ，１２５Ｒ、１２６Ｌ，１２６Ｒ、１２７Ｌ，１２７Ｒに対して聴者Ｕの左右方向外側にそれぞれ配置した場合に比べて音楽情報のより高い再現性および臨場感の向上を確認した。しかし、本発明に係る音響再生システム１００は、スピーカ１０５Ｌ，１０５Ｒ、１０６Ｌ，１０６Ｒ、１０７Ｌ，１０７Ｒをスピーカ１２４Ｌ，１２４Ｒ、１２５Ｌ，１２５Ｒ、１２６Ｌ，１２６Ｒ、１２７Ｌ，１２７Ｒに対して聴者Ｕの左右方向外側にそれぞれ配置した場合であっても本発明の効果を確認したものであり、このようなスピーカ配置を排除するものではない。
【００６０】
また、上記実施形態においては、プリアンプ１２０は、クロストーク部Ｌ１２１、クロストーク部Ｒ１２２およびクロストーク調節器１２１ａ，１２２ａを備えて構成した。これにより、プリアンプ１２０は、左側原音信号および右側原音信号を用いて所望のクロストーク量で左側クロストーク音信号および右側クロストーク音信号を生成することができる。すなわち、クロストーク部Ｌ１２１およびクロストーク部Ｒ１２２が本発明に係るクロストーク部に相当するとともに、クロストーク調節器１２１ａ，１２２ａが本発明に係るクロストーク調節手段に相当する。
【００６１】
しかし、クロストーク部Ｌ１２１およびクロストーク部Ｒ１２２は、必ずしも積極的に左側クロストーク音信号および右側クロストーク音信号を生成させる回路として構成する必要はない。すなわち、クロストーク部Ｌ１２１およびクロストーク部Ｒ１２２は、左側原音信号と右側原音信号とが互いに干渉し合ってクロストークを受けるように構成されていればよい。したがって、例えば、プリアンプ１２０における左側原音信号を増幅する増幅回路と右側原音信号を増幅する増幅回路とを互いに近接配置することによって互いの増幅回路が電気的または磁気的に干渉し合って左側クロストーク音信号および右側クロストーク音信号が生成されるように構成することもできる。
【００６２】
また、クロストーク部Ｌ１２１およびクロストーク部Ｒ１２２は、クロストーク調節器１２１ａ，１２２ａを備えてクロストーク量を可変できるように構成する他に、クロストーク量（換言すれば、減衰回路の減衰率）が所定の値に固定的に設定されていてもよい。この場合、クロストーク部Ｌ１２１およびクロストーク部Ｒ１２２に固定的に設定するクロストーク量は、元となる左側原音信号および右側原音信号の音量に対してそれぞれ５％以上かつ４０％以下、より好適には１０％以上かつ３０％以下、さらに好適には１５％以上かつ２５％以下の範囲で設定するとよい。
【００６３】
また、上記実施形態においては、音源再生装置１０１は、原音記録媒体１０１ａを再生する機器で構成した。しかし、音源再生装置１０１は、人が耳で聴くことができる可聴音以上の周波数で人が耳で聴くことができない非可聴音を表す非可聴音信号と人が耳で聴くことができる可聴音を含んで人の左右の耳に対応した２チャンネルで表した左側原音信号および右側原音信号とをそれぞれ出力するように構成されていればよい。
【００６４】
したがって、音響再生システム１００は、例えば、図３に示すように、コンサートやライブの会場Ｐに設置した２チャンネル分のマイクなどの集音装置からなる音源再生装置１０１を有線または無線（例えば、インターネットや無線電話回線）からなる伝送線１３０を介してプリアンプ１０２およびプリアンプ１２０にそれぞれ接続して構成することができる。これによれば、音響再生システム１００は、コンサート会場やライブ会場の音楽情報をリアルタイムで、または音楽情報を図示しない記憶装置に記憶しておくことで聴者Ｕの好みのタイミングで再生することにより会場Ｐ以外の場所や部屋で会場Ｐの音場を再現することができる。なお、図３においては、音響再生システム１００は、プリアンプ１０２およびプリアンプ１２０以降の構成を省略して示している。
【符号の説明】
【００６５】
Ｐ…会場、
１００…音響再生システム、１０１…音源再生装置、１０１ａ…原音記録媒体、１０２…プリアンプ、１０３…アクティブフィルタアンプ、１０４ａ〜１０４ｃ…パワーアンプ、１０５Ｌ，１０５Ｒ，１０６Ｌ，１０６Ｒ，１０７Ｌ，１０７Ｒ…スピーカ、
１１０…パワーアンプ、１１１…ハイパスフィルタ、１１２Ｌ，１１２Ｒ…スピーカ、
１２０…プリアンプ、１２０’…プリメインアンプ、１２１…クロストーク部Ｌ、１２２…クロストーク部Ｒ、１２１ａ，１２２ａ…クロストーク量調節器、１２３…パワーアンプ、１２４Ｌ，１２４Ｒ，１２５Ｌ，１２５Ｒ，１２６Ｌ，１２６Ｒ、１２７Ｌ，１２７Ｒ…スピーカ、１２８…ネットワーク、
１３０…伝送線。
【図１】
2015198422.tif 000003
【図２】
2015198422.tif 000004
【図３】
2015198422.tif 000005